(57)【特許請求の範囲】
【請求項１】
収納物を収納する収納部の周面を形成する筒状の周壁部と、
光透過性を有し、前記周壁部の下端面に固定されて前記収納部の底面を構成する平板状の底板部と、
前記底板部に対して前記底面の反対側から対向し、外周部よりも中心部が前記底板部に近い凸形状のリフレクターと、
前記リフレクターに対して前記中心部側へ向かう光を出射する出射部と、
前記リフレクターと前記底板部との間に位置して、前記リフレクターで反射された光の一部を前記リフレクター側へ反射するとともに残りの光を前記底板部側へ透過するハーフミラーとを備える
カップホルダ。
【請求項２】
前記リフレクターは、前記中心部に近い部位ほど曲率が小さい湾曲形状を有する
請求項１に記載のカップホルダ。
【請求項３】
前記出射部は、前記リフレクターの前記外周部へ向けて前記光を出射する
請求項１または２に記載のカップホルダ。
【請求項４】
前記出射部を複数備え、
前記複数の出射部は、前記リフレクターの前記外周部に沿って周方向に離間して設けられ、前記リフレクターに対して互いに異なる位置に向けて光を出射する
請求項１〜３のいずれか一項に記載のカップホルダ。
【請求項５】
前記リフレクターの前記外周部に沿って設けられ、光源から出射された光を導光する導光体を備え、
前記導光体には、前記リフレクターの中心部側に臨む部位に前記複数の出射部が形成され、
前記複数の出射部は、前記導光体の周方向において等間隔となるように設けられている
請求項４に記載のカップホルダ。
【発明の詳細な説明】
【技術分野】
【０００１】
本発明は、収納物を収納するカップホルダに関する。
【背景技術】
【０００２】
例えば特許文献１には、例えば飲料物等を収納する収納容器の底面を光らせることにより、夜間における収納容器内部の視認性を向上させる技術が開示されている。特許文献１では、収納容器の底面に隣接して拡散箱が設けられ、拡散箱の天板部分が収納容器の底部として機能している。拡散箱は、内部空間を有する箱体状に形成され、上記天板部分のほか、天板部分に対向する底板部分と、天板部分と底板部分とに連結される側壁部分とを備える。底板部分および側壁部分は、天板部分よりも光透過性が低くなるように構成されている。また、底板部分には、車幅灯等の点灯にともなって点灯する光源の光を拡散箱の内部空間に導入する開口部が形成されている。開口部から導入された光は、拡散箱内において拡散および反射されることにより天板部分全体を光らせる。
【先行技術文献】
【特許文献】
【０００３】
【特許文献１】特開２００９−１５４７３７号公報
【発明の概要】
【発明が解決しようとする課題】
【０００４】
特許文献１では、収納容器の底面全体が光ってしまうため、収納容器の収納容積が実際の収納容積よりも小さく感じられてしまう。
本発明は、このような実情に鑑みてなされたものであり、その目的は、収納容器の収納容積を実際の収納容積よりも大きく見せることが可能なカップホルダを提供することにある。
【課題を解決するための手段】
【０００５】
上記課題を解決する収納容器は、収納物を収納する収納部の周面を形成する筒状の周壁部と、光透過性を有し、前記周壁部の下端面に固定されて前記収納部の底面を構成する平板状の底板部と、前記底板部に対して前記底面の反対側から対向し、外周部よりも中心部が前記底板部に近い凸形状のリフレクターと、前記リフレクターに対して前記中心部側へ向かう光を出射する出射部と、前記リフレクターと前記底板部との間に位置して、前記リフレクターで反射された光の一部を前記リフレクター側へ反射するとともに残りの光を前記底板部側へ透過するハーフミラーとを備える。
【０００６】
上記構成によれば、リフレクターとハーフミラーとの間における光の多重反射と、ハーフミラーにおける光の透過とによって、収納部の底面には、底面の中心部分が奥側に位置する虚像が投影される。その結果、観察者に対して収納部の奥行き感を与えることができ、収納容器の収納容積を大きく見せることができる。
【０００７】
上記収納容器において、前記リフレクターは、前記中心部に近い部位ほど曲率が小さい湾曲形状を有することが好ましい。
上記構成によれば、出射部から出射された光を有効的に使うことができ、中心に近い位置に投影される虚像について光量の低下が抑えられる。
上記収納容器において、前記出射部は、前記リフレクターの前記外周部へ向けて前記光を出射することが好ましい。
上記構成によれば、底面のうちで虚像が投影される領域を大きくすることができる。
上記収納容器は、前記出射部を複数備え、前記複数の出射部は、前記リフレクターの前記外周部に沿って周方向に離間して設けられ、前記リフレクターに対して互いに異なる位置に向けて光を出射することが好ましい。
【０００８】
上記構成によれば、リフレクターには、周方向において互いに異なる位置に光が入射する。そのため、収納部の底面には、底面の中心に向かって直線状に並ぶ複数の虚像で構成される虚像群が放射状に投影される。その結果、観察者に対して収納部の奥行き感を与えるとともに収納容器の意匠性を向上させることができる。
【００１１】
上記収納容器は、前記リフレクターの前記外周部に沿って設けられ、光源から出射された光を導光する導光体を備え、前記導光体には、前記リフレクターの中心部側に臨む部位に前記複数の出射部が形成され、前記複数の出射部は、前記導光体の周方向において等間隔となるように設けられていることが好ましい。
【００１２】
上記構成によれば、リフレクターの中心部側へと出射される光を１つの光源で生成することができる。その結果、収納容積を大きく見せるうえで、収納容器の構成する部品の増加が抑えられる。また、リフレクターの中心部側に臨む部位に出射部が形成されていることでリフレクターに照射される光の輪郭をより鮮明にすることができる。
【発明の効果】
【００１３】
上記構成によれば、収納容器の収納容積を大きく見せることができる。
【図面の簡単な説明】
【００１４】
【図１】一実施形態の収納容器が形成されたセンターコンソールの斜視図である。
【図２】カップホルダの断面構造を示す斜視断面図である。
【図３】出射部から出射された光の反射態様の一例を模式的に示す断面図である。
【図４】底面に投影される虚像の一例を示す平面図である。
【図５】変形例において光源部の他の例を示す平面図である。
【図６】（ａ）は出射部の変形例の一例を示す斜視図であり、（ｂ）は出射部の変形例によって底面に投影される虚像の一例を示す平面図である。
【発明を実施するための形態】
【００１５】
図１〜図４を参照して、収納容器の一実施形態について説明する。
図１に示すように、収納物を収納する収納容器は、車両の内装部品として用いられる。収納容器は、例えば、運転席１１と助手席１２との間に位置するセンターコンソール１３に設けられたカップホルダ２０である。
【００１６】
図２に示すように、カップホルダ２０は、例えば飲料物を収納する収納部２１を備える。収納部２１は、収納部２１の周面２１ｓを形成する筒状の周壁部２２と、周壁部２２の下端面に固定されて収納部２１の底面２１ｂを形成する平板状の底板部２３とを備える。底板部２３は、例えばアクリル樹脂やポリカーボネート樹脂といった光透過性を有する樹脂板である。底板部２３は、収納部２１の底面２１ｂを観察面として虚像を投影する虚像形成部２５を構成する。虚像形成部２５は、底板部２３に隣接して光を拡散する空間部を構成するハウジング２６と、光源部３５と、光源部３５から出射された光を反射するリフレクター３０と、リフレクター３０で反射された光の一部を反射し残りを透過するハーフミラー４１とを備える。
【００１７】
ハウジング２６は、遮光性を有する合成樹脂材料で形成され、有底の円筒形状を有する。ハウジング２６は、筒状の側壁部２８の下面を下面部２７で閉塞して構成されている。ハウジング２６は、遮光性を有することで、光源から出射された光が外部に漏れることを抑えつつ、内部で光を拡散し虚像を形成する空間部となる。
【００１８】
リフレクター３０は、ハウジング２６に収容されており、基材３１と、基材３１に形成されたミラー３２とを備える。リフレクター３０は、中心部に近い部位ほど曲率が小さくなるように湾曲する断面形状を有し、中心部に近い部位ほど収納部２１の底板部２３に近づくように突出する凸形状に形成されている。基材３１は、例えば合成樹脂材料からなり、下面部２７と側壁部２８とで形成される角部において、外周端面３１ａが下面部２７に対して固定されている。基材３１には、収納部２１の底板部２３側の面の全面にミラー３２が形成されている。ミラー３２は、入射した光を底板部２３に向けて略全反射する第１反射面３３を有する。第１反射面３３の外周部３３ｓは、中心部３３ｃよりも第１反射面３３の外縁に近い部位のなかでも外縁寄りの部位であり、リフレクター３０の外周部を構成する。第１反射面３３の中心部３３ｃは、底板部２３に近接した位置に位置し、リフレクター３０の中心部を構成する。ミラー３２は、光反射性を有する金属層であり、例えば、クロム、インジウム、アルミニウム、銀、金といった金属のほか、これらの金属材料の合金を用いたスパッタリングや蒸着により基材３１に形成することが可能である。
【００１９】
光源部３５は、第１反射面３３と交差する光軸Ｌを有して第１反射面３３の中心部３３ｃ側へと向かう方向に進む光を出射する。光源部３５は、光源３６と、光源３６からの光を導光する導光体３７とを備える。光源３６は、ハウジング２６の側壁部２８に固定されている。この光源３６は、例えば、車幅灯の点灯と同期してバッテリーから電力が供給されることで点灯するＬＥＤ素子であり、ハウジング２６の側壁部２８に形成された図示されない貫通孔を通じて電気配線が接続されている。光源３６から出射された光は、導光体３７の端面から導光体３７へ導入される。
【００２０】
導光体３７は、例えばアクリル樹脂やポリカーボネート樹脂といった透光性を有する合成樹脂によって形成された可撓性を有する線状部材である。導光体３７は、第１反射面３３とハウジング２６の側壁部２８との間に位置し、リフレクター３０の外周部に沿って周回することで第１反射面３３を側方から取り囲んでいる。環状の導光体３７は、その外周面３８が側壁部２８に係止爪や接着剤等で固定される。環状の導光体３７の内周面３９には、第１反射面３３の外周部３３ｓに交差する光軸Ｌを有する光を出射する出射部４０が形成されている。出射部４０は、導光体３７に導光されている光を散乱することにより光を出射する円形の散乱部で構成され、第１反射面３３の外周部３３ｓに向けて断面円形状の光を出射する。なお、光軸Ｌは、出射部４０の中心部分において出射部４０に対して垂直な方向を示す。導光体３７には、互いに異なる位置に向けて光を出射する複数の出射部４０が形成されている。複数の出射部４０は、導光体３７の周方向において等間隔となるように、リフレクター３０の外周部に沿って互いに離間する位置に設けられている。
【００２１】
ハーフミラー４１は、底板部２３の底面２１ｂとは反対側の裏面２３ｂに形成されている。ハーフミラー４１は、光反射性と光透過性とを有する薄膜であり、例えば、クロム、インジウム、アルミニウム、銀、金といった金属のほか、これらの金属材料の合金を用い、底板部２３を基材とするスパッタリングや蒸着、銀鏡反応により形成することが可能である。ハーフミラー４１において、リフレクター３０に対向する平面は、第２反射面４２であり、この第２反射面４２は、第１反射面３３で反射された光の一部を第１反射面３３に向けて反射し、残りの光を底板部２３へと透過する。
【００２２】
図３および図４を参照して、虚像形成部２５の動作の一例について説明する。
図３に示すように、出射部４０からリフレクター３０に向けて出射された光は、第１反射面３３の外周部３３ｓで反射され、次いで、ハーフミラー４１に入射する。ハーフミラー４１は、入射した光の一部をリフレクター３０へと反射し、残りの光を底板部２３へと透過する。透過した光は、収納部２１の底面２１ｂである観察面において虚像として現れる。一方、ハーフミラー４１で反射された光は、中心部３３ｃ寄りの位置にて第１反射面３３に入射し、この第１反射面３３によって再び反射される。そして、第１反射面３３で反射された光は、再び、ハーフミラー４１に入射し、一部の光がリフレクター３０へと反射され、残りの光がハーフミラー４１を透過する。このように虚像形成部２５では、リフレクター３０による反射とハーフミラー４１による反射による多重反射が発生し、一部の光はハーフミラー４１を透過することで底面２１ｂに虚像を形成する。
【００２３】
例えば、カップホルダ２０の上方に位置する視点Ｐから観察者が底面２１ｂを観察する場合、出射部４０から出射された光は、ミラー３２の第１反射面３３によって底板部２３に向かって反射されてハーフミラー４１の第２反射面４２に入射する。第２反射面４２に入射した光は、第１反射面３３に向かって反射する反射光４５と、ハーフミラー４１及び底板部２３を透過する透過光４６とに分けられる。
【００２４】
反射光４５は、第１反射面３３によって底板部２３に向かって反射されて再び第２反射面４２に入射する。第２反射面４２に入射した光は、第１反射面３３に向かって反射する反射光４７と、ハーフミラー４１及び底板部２３を透過する透過光４８とに分けられる。この反射光４７は、同様に、反射光４９と透過光５０とに分けられる。こうした光の反射と透過とが第１反射面３３の中心部３３ｃに向かって繰り返される。
【００２５】
図４に示すように、視点Ｐから観察者が底面２１ｂを観察すると、上述した多重反射によって収納部２１の底面２１ｂには、透過光４６に基づく円形状の第１の虚像５１が投影される。この第１の虚像５１よりも底面２１ｂの中心Ｃ側には、透過光４８に基づく円形状の第２の虚像５２が投影される。この第２の虚像５２は、第１の虚像５１よりも光量が少なく、かつ、第１の虚像５１よりも外形が小さい。この第２の虚像５２よりも中心Ｃ側には、透過光５０に基づく円形状の第３の虚像５３が投影される。この第３の虚像５３は、第２の虚像５２によりも光量が少なく、かつ、第２の虚像よりも外形が小さい。また、第３の虚像５３は、第１の虚像５１と第２の虚像５２との間隔よりも第２の虚像５２に対する間隔が狭い位置に投影される。
【００２６】
このように、収納部２１の底面２１ｂには、中心Ｃへ向かって直線状に配列された複数の虚像で構成される虚像群５５が投影される。虚像群５５においては、ハーフミラー４１において一部の光が透過されるため中心Ｃに近い虚像ほど光量が少なく、かつ、外形が小さい。また、中心Ｃに近い虚像ほど隣の虚像との間隔が狭い。そのため、中心Ｃに近い虚像ほど奥側に位置するように見える。こうした虚像群５５が１つの出射部４０によって１つ形成されるため、収納部２１の底面２１ｂには、複数の虚像群５５が中心Ｃから放射状に投影される。
【００２７】
上記実施形態のカップホルダ２０によれば、以下に列挙する効果が得られる。
（１）リフレクター３０とハーフミラー４１との間における多重反射と、ハーフミラー４１における光の透過とによって、収納部２１の底面２１ｂに虚像群５５が投影される。虚像群５５は、底面２１ｂの中心Ｃに向かって配列された複数の虚像で構成され、中心Ｃに近い虚像ほど光量が少なく、かつ、外形が小さい。その結果、観察者に対して収納部２１の奥行き感を与えることができ、カップホルダ２０の収納容積を大きく見せることができる。
【００２８】
（２）各出射部４０は、第１反射面３３に対し、周方向において互いに異なる位置に向けて光を出射する。これにより、収納部２１の底面２１ｂには、複数の虚像群５５が中心Ｃから放射状に投影されるため、観察者に対してさらなる奥行き感を与えることができる。
【００２９】
（３）各出射部４０が出射する光は、第１反射面３３の外周部３３ｓと交差する光軸Ｌを有する。これにより、底面２１ｂのうちで虚像が投影される領域を大きくすることができる。
【００３０】
（４）第１反射面３３は、中心部３３ｃに近い部位ほど曲率が小さい湾曲面である。これにより、各虚像群５５において、虚像と虚像との間隔は、第１の虚像５１と第２の虚像５２との間隔が最も大きく、底面２１ｂの中心Ｃに近づくほど狭くなる。そのため、中心Ｃへ向かう複数の虚像を底面２１ｂに投影するうえで出射部４０から出射された光を有効的に使うことができ、中心Ｃにより近い位置まで虚像を投影することができる。
【００３１】
（５）光源部３５は、光源３６と導光体３７とで構成されている。そのため、第１反射面３３に向けて出射される複数の光を１つの光源３６で作ることができる。その結果、収納容積を大きく見せるうえで、収納容器を構成する部品の増加が抑えられる。
【００３２】
（６）導光体３７の外面のうちで最も中心部３３ｃに近い位置に位置する内周面３９に出射部４０が形成されることで、第１反射面３３に入射する光の輪郭をより鮮明にすることができる。その結果、底面２１ｂに投影される虚像の輪郭をより鮮明にすることができる。
【００３３】
なお、上記実施形態は、以下のように適宜変更して実施することもできる。
・光源部３５は、例えば、導光体３７の外周面３８に凹部を凹設し、この凹部で反射した光を内周面３９から出射させる構成であってもよい。
【００３４】
・光源部は、１つの光源３６と１つの導光体３７とで構成されるものに限られない。例えば、図５に示すように、光源部は、第１反射面３３の中心部３３ｃを挟んで相対向する２つの光源５７ａ，５７ｂと、各光源５７ａ，５７ｂからの光が導入される導光体５８ａ，５８ｂとで構成されてもよい。こうした構成によれば、出射部から出射される光の光量を増やすことができる。
【００３５】
・出射部は、例えば、第１反射面３３に対して直接光を照射するＬＥＤ素子であってもよい。すなわち、光源そのものが出射部であってもよい。
・出射部４０は、第１反射面３３の中心部３３ｃ側へと向かう光をリフレクター３０に出射すればよく、その照射位置は第１反射面３３の中心部３３ｃ寄りの位置であってもよい。
【００３６】
・出射部４０を複数有する場合、出射部４０の配置は、対称性を有するものに限らず、その時々の設計事項に応じて変更可能である。
・出射部は、第１反射面３３に対して光を出射するものであればよく、その出射する光の断面形状は円形状に限られない。また、出射部４０は、１つでもよい。
【００３７】
例えば、図６（ａ）に示すように、出射部は、導光体３７の内周面３９において、周方向に沿って延びる線型状の１つの凹部で構成される出射部５９であってもよい。こうした出射部５９であれば、図６（ｂ）に示すように、底面２１ｂには、中心に近づくほど直径が小さくなる円周形状の虚像６０が複数投影される。
【００３８】
・リフレクター３０は、第１反射面３３の中心部３３ｃに近い部位ほど曲率が小さい湾曲形状を有するものに限られない。リフレクター３０は、例えば、第１反射面３３の中心部３３ｃを頂点とする錐体形状を有していてもよいし、また例えば中心部３３ｃを頂部とする錐台形状を有するものであってもよい。
【００３９】
・収納容器としてのカップホルダ２０は、センターコンソール１３に設けられているものに限らず、例えばインストルメントパネルの周りに取り付けられるものでもよい。
・収納容器は、飲料物を収納するカップホルダ２０に限らず、収納物を収納する収納部を有するものであればよい。そのため、収納容器は、例えば、助手席１２の前方に位置するグローブボックスであってもよいし、携帯電話を収納するものであってもよい。また、グローブボックスのように蓋付きのものであってもよい。
【符号の説明】
【００４０】
Ｃ…中心、Ｌ…光軸、Ｐ…視点、１１…運転席、１２…助手席、１３…センターコンソール、２０…カップホルダ、２１…収納部、２１ｂ…底面、２１ｓ…周面、２２…周壁部、２３…底板部、２３ｂ…裏面、２５…虚像形成部、２６…ハウジング、２７…下面部、２８…側壁部、３０…リフレクター、３１…基材、３１ａ…周端面、３２…ミラー、３３…第１反射面、３３ｃ…中心部、３３ｓ…外周部、３５…光源部、３６…光源、３７…導光体、３８…外周面、３９…内周面、４０…出射部、４１…ハーフミラー、４２…第２反射面、４５…反射光、４６…透過光、４７…反射光、４８…透過光、４９…反射光、５０…透過光、５１…第１の虚像、５２…第２の虚像、５３…第３の虚像、５５…虚像群、５７ａ，５７ｂ…光源、５８ａ，５８ｂ…導光体、５９…出射部、６０…虚像。
【図１】
0006269444.tif 000002
【図２】
0006269444.tif 000003
【図３】
0006269444.tif 000004
【図４】
0006269444.tif 000005
【図５】
0006269444.tif 000006
【図６】
0006269444.tif 000007